(57)【要約】【課題】  地震の振動により家具の扉が開くことを防止する扉ロック装置の改良に関し、扉が半開きの状態にある場合においても地震の振動で扉をロックすることを可能にする。【解決手段】  扉ロック装置が家具本体１に固定されるロック装置本体３と、上記ロック装置本体３にスライド自在に取り付けられるスライド部材４と、扉２に固定されて上記スライド部材４を先端に保持するロッド５と、地震の振動により上記スライド部材４のスライドを阻止するロック部材６とを備えてなり、上記ロック装置本体３が一対のラック３０ａ、３０ｂと、これらのラックの内側に形成される係止歯３１とを備え、上記ロック部材６が回転可能に軸支される一対のアーム６０ａ、６０ｂと、球状の可動体６２と、爪６３ａ、６３ｂとを備え、地震発生時に上記可動体６２が地震の振動により移動して上記両アームを回転し、上記爪６３ａ、６３ｂを上記係止歯３１に係合して扉をロックする。【選択図】  図４
2011162951.tif 000002
【特許請求の範囲】
【請求項１】
家具本体と、この家具本体に開閉自在に取り付けられる扉との間に介装されて、
上記家具本体若しくは上記扉の何れか一方に固定されて長尺に形成されるロック装置本体と、上記ロック装置本体の長手方向にスライド自在に取り付けられるスライド部材と、上記家具本体若しくは上記扉の何れか他方に固定されて上記スライド部材を先端に保持するロッドと、上記スライド部材に取り付けられて地震の振動により上記スライド部材のスライドを阻止するロック部材とを備えてなり、
上記ロック装置本体は、長手方向に相対向して起立する一対のラックと、これらのラックの内側に長手方向に沿って形成される複数の係止歯とを備え、
上記スライド部材は、上記一対のラックの外周に摺接して上記ロック部材を収容するハウジングと、このハウジングの底部たる底片上に形成されるなだらかな球面状の球面溝とを備え、
上記ロック部材は、上記底片上に回転可能に軸支されて先端を上記両ラックに遠近させる一対のアームと、これらのアームの先端を接近させる方向に附勢する附勢手段と、上記両アームの間に設けられて上記球面溝上を移動可能な可動体と、上記各アームの先端部に設けられて上記係止歯に対向する爪とを備え、
通常時においては、上記可動体が上記球面溝の最深部に維持されると共に、各アームの先端が上記附勢手段により接近して上記ラックから離れた状態に維持されてスライド部材のスライドを妨げず、
地震発生時においては、上記可動体が地震の振動により上記球面溝上を移動して上記両アームを回転することにより、一方若しくは両方の上記アームの先端を上記ラックに接近させて上記爪を上記係止歯に係合し、スライド部材のスライドを阻止して扉をロックすることを特徴とする扉ロック装置。
【請求項２】
上記アームは、上記底片上に起立するピンに回転自在に軸支される基端部と、この基端部から延設されるアーム本体と、このアーム本体の先端に設けられる上記爪と、上記アーム本体の反ラック側の側面に形成される円弧状の溝とを備え、
上記各アームは、上記アーム本体を隣接させて上記底片上に配置され、
相対向する上記両溝の間に形成される空間の中心は、上記球面溝の最深部と対応し、
上記可動体は、通常時において上記球面溝の最深部に維持されて上記空間の中心に配置され、上記両アームに作用しないことを特徴とする請求項１に記載の扉ロック装置。
【請求項３】
上記ハウジングは、上記一対のラックの上側に摺接する天片と、上記各ラックの外側にそれぞれ摺接する一対の側片と、上記一対の下側に摺接する底片とで中空の四角柱状に形成されてなり、
上記スライド部材は、上記ハウジングと、上記底片のロッド側端部から起立するロッド側片と、上記底片のボトム側端部から起立するボトム側片とを備え、中空の略六面体状に形成されることを特徴とする請求項１または請求項２に記載の扉ロック装置。
【請求項４】
上記ロック装置本体は、短手方向に相対向して配置されるガイド部とボトム部とを備え、
上記ガイド部は、上記各ラックのロッド挿入側端部からそれぞれ内側に延設される一対のガイド片からなり、
上記ロッドは、先端を上記ロッド側片に結合されると共に、側面を上記一対のガイド片の対向面に摺接させてなることを特徴とする請求項３に記載の扉ロック装置。
【発明の詳細な説明】
【技術分野】
【０００１】
この発明は、地震の振動により家具の扉が開くことを防止する扉ロック装置の改良に関する。
【背景技術】
【０００２】
地震の振動により家具の扉が開くことを防止する扉ロック装置は、例えば、食器棚や本棚等の扉付の家具に取り付けられて、地震の振動で扉をロックして食器や本等が外に飛び出すことを防止する。
【０００３】
従来、この種の扉ロック装置として種々の提案がされている。例えば、特許文献１に開示の扉ロック装置は、家具本体に取り付けられるロック装置本体と、上記家具本体に蝶着される扉に取り付けられる係止具とからなる。
【０００４】
上記ロック装置本体は、外殻をなすケースと、このケース内に出没自在に設けられ上記ケースの底部から垂れ下がる棒状のロック体と、このロック体の上端に形成されるフランジ部と、上記ケース内に収容される複数の球状の可動体とからなる。
【０００５】
上記ケースは、底部に形成されて上記ロック体が挿通する挿通孔と、底部からケース内側に向けて起立して上記挿通孔と連通する筒状部と、ケース内側面からケースの内側に向けて張り出す待避部とからなる。
【０００６】
上記ロック体は、上記筒状部内に挿通されて下端部をケースの挿通孔から突出させると共に、上記フランジ部が上記筒状部の上端と当接して上記挿通孔から抜け止めされる。
【０００７】
そして、上記待避部が上記フランジ部と略同じ高さに設定されて若干窪み形状に形成され、上記フランジ部の上面がなだらかな球面状に形成されることにより、地震による振動のない通常時において上記可動体は、上記待避部から移動することがない。
【０００８】
上記係止具は、上方に向けて突出する係止部を備え、通常時において扉を開閉する際に、上記係止部が上記ロッド体を押し上げてケース内に没入させることから、扉ロック装置が扉の開閉を妨げることがない。
【０００９】
一方、地震発生時においては、上記可動体が地震の振動により待避部からフランジ部の上に移動して、上記ロック体がケース内に没入することを妨げる。
【００１０】
従って、上記ロック体が係止具に係合して扉の開きをロックすることが可能となる。
【先行技術文献】
【特許文献】
【００１１】
【特許文献１】特開２０００−３１６６５５号  公報（図１）
【発明の概要】
【発明が解決しようとする課題】
【００１２】
上記従来の扉ロック装置は、地震の振動により扉の開きをロックして家具本体内に収容される食器や本などが飛び出すことを防ぐことが可能であり、機能上特に問題はないが以下の不具合を指摘される虞がある。
【００１３】
第一に、上記従来の扉ロック装置は、家具本体側に結合されるロック装置本体と扉側に結合される係止具とが分離して形成されるため、ロック装置本体に対する係止具の位置決めをすることが困難で、扉ロック装置の取り付けが煩雑である。
【００１４】
第二に、上記従来の扉ロック装置は、扉が閉じてロック装置本体と係止具とが重なり合っている状態でなければ機能せず、扉が半開きになっている場合においては全く機能することができない。
【００１５】
そこで、本発明の目的は、扉ロック装置の取り付けが容易で、扉が半開きになっている場合においても扉の動きをロックすることが可能な扉ロック装置を提供することである。
【課題を解決するための手段】
【００１６】
上記課題を解決するための手段は、扉ロック装置が家具本体と、この家具本体に開閉自在に取り付けられる扉との間に介装されて、上記家具本体若しくは上記扉の何れか一方に固定されて長尺に形成されるロック装置本体と、上記ロック装置本体の長手方向にスライド自在に取り付けられるスライド部材と、上記家具本体若しくは上記扉の何れか他方に固定されて上記スライド部材を先端に保持するロッドと、上記スライド部材に取り付けられて地震の振動により上記スライド部材のスライドを阻止するロック部材とを備えてなり、上記ロック装置本体は、長手方向に相対向して起立する一対のラックと、これらのラックの内側に長手方向に沿って形成される複数の係止歯とを備え、上記スライド部材は、上記一対のラックの外周に摺接して上記ロック部材を収容するハウジングと、このハウジングの底部たる底片上に形成されるなだらかな球面状の球面溝とを備え、上記ロック部材は、上記底片上に回転可能に軸支されて先端を上記両ラックに遠近させる一対のアームと、これらのアームの先端を接近させる方向に附勢する附勢手段と、上記両アームの間に設けられて上記球面溝上を移動可能な可動体と、上記各アームの先端部に設けられて上記係止歯に対向する爪とを備え、通常時においては、上記可動体が上記球面溝の最深部に維持されると共に、各アームの先端が上記附勢手段により接近して上記ラックから離れた状態に維持されてスライド部材のスライドを妨げず、地震発生時においては、上記可動体が地震の振動により上記球面溝上を移動して上記両アームを回転することにより、一方若しくは両方の上記アームの先端を上記ラックに接近させて上記爪を上記係止歯に係合し、スライド部材のスライドを阻止して扉をロックすることである。
【発明の効果】
【００１７】
本発明によれば、家具本体側または扉側に取り付けられるロック装置本体とロッド体とが分離せず、ピストン部材を介して連結された状態に維持されることから、扉ロック装置の取り付けが容易に可能となる。
【００１８】
また、扉が半開きになっている場合においても、地震の振動により可動体が移動して係止歯と係止爪を係合し、扉の動きをロックすることが可能となる。
【００１９】
また、従来の扉ロック装置よりも薄く形成することができ、扉ロック装置の取り付け位置の自由度を増すことが可能となる。
【図面の簡単な説明】
【００２０】
【図１】図１は、本発明の一実施の形態に係る扉ロック装置を家具本体と扉との間に介装した状態を示す一部切り欠き平面図である。
【図２】図２（ａ）は、本発明の一実施の形態に係る扉ロック装置の平面図であり、スライド部材及びロッドの一部を切り欠いて示す。図２（ｂ）は、本発明の一実施の形態に係る扉ロック装置のＸＸ線断面図である。
【図３】図３は、本発明の一実施の形態に係る扉ロック装置のスライド部材を一部切り欠いて示す拡大斜視図である。
【図４】図４は、本発明の一実施の形態に係る扉ロック装置のロック部材近傍を示す拡大平面図であり、スライド部材及びロッドの一部を切り欠いて示す。
【図５】図５は、本発明の一実施の形態に係る扉ロック装置のロック部材近傍を示すＹＹ断面図である。
【図６】図６（ａ）は、地震による振動が図中左右に作用した場合における本発明の一実施の形態に係る扉ロック装置のロック部材近傍を示す拡大平面図であり、スライド部材及びロッドの一部を切り欠いて示す。図６（ｂ）は、地震による振動が左右（図中上下）に作用した場合における本発明の一実施の形態に係る扉ロック装置のロック部材近傍を示す拡大平面図であり、スライド部材及びロッドの一部を切り欠いて示す。
【発明を実施するための形態】
【００２１】
以下、本発明の一実施の形態を示す扉ロック装置について図面を参照しながら説明する。
【００２２】
いくつかの図面を通して付された同じ符号は、同じ部品かまたはそれに対応する部品を示す。
【００２３】
本実施の形態に係る扉ロック装置は、図１に示すように、家具本体１と、この家具本体１に開閉自在に取り付けられる扉２との間に介装される。
【００２４】
そして、上記扉ロック装置は、上記家具本体１若しくは上記扉２の何れか一方に固定されて長尺に形成されるロック装置本体３と、上記ロック装置本体３の長手方向にスライド自在に取り付けられるスライド部材４と、上記家具本体１若しくは上記扉２の何れか他方に固定されて上記スライド部材４を先端に保持するロッド５と、上記スライド部材４に取り付けられて地震の振動により上記スライド部材４のスライドを阻止するロック部材６（図２）とを備えてなる。
【００２５】
上記ロック装置本体３は、図２に示すように、長手方向に相対向して起立する一対のラック３０ａ、３０ｂと、これらのラック３０ａ、３０ｂの内側に長手方向に沿って形成される複数の係止歯３１とを備える。
【００２６】
上記スライド部材４は、図３に示すように、上記一対のラック３０ａ、３０ｂの外周に摺接して上記ロック部材６を収容するハウジング４０と、このハウジング４０の底部たる底片４３上に形成されるなだらかな球面状の球面溝４３ａとを備える。
【００２７】
上記ロック部材６は、図４、５に示すように、上記底片４３上に回転可能に軸支されて先端を上記両ラック３０ａ、３０ｂに遠近させる一対のアーム６０ａ、６０ｂと、これらのアーム６０ａ、６０ｂの先端を接近させる方向に附勢する附勢手段６１と、上記両アーム６０ａ、６０ｂの間に設けられて上記球面溝４３ｃ上を移動可能な可動体６２と、上記各アーム６０ａ、６０ｂの先端部に設けられて上記係止歯３１に対向する爪６３ａ、６３ｂとを備える。
【００２８】
上記構成を備えることにより、通常時においては、上記可動体６２が上記球面溝４３ｃの最深部Ｓに維持されると共に、各アーム６０ａ、６０ｂの先端が上記附勢手段６１により接近して上記ラック３０ａ、３０ｂから離れた状態に維持されてスライド部材４のスライドを妨げない。
【００２９】
しかしながら、地震発生時においては、上記可動体６２が地震の振動により上記球面溝４３ｃ上を移動して上記両アーム６０ａ、６０ｂを回転することにより、一方若しくは両方の上記アーム６０ａ、６０ｂの先端を上記ラック３０ａ、３０ｂに接近させて上記爪６３ａ、６３ｂを上記係止歯３１に係合し、スライド部材４のスライドを阻止して扉２をロックする。
【００３０】
以下に、上記扉ロック装置の各構成部品についてそれぞれ説明する。
【００３１】
本実施の形態において扉ロック装置は、図１に示すように、家具本体１とこの家具本体１に蝶着された扉２との間に水平に介装されてなり、ロック装置本体３内にロッド５が出没自在に挿入されることから伸縮自在である。
【００３２】
上記ロック装置本体３は家具本体側ブラケットＢ１を介して家具本体１に回転可能に取り付けられ、上記ロッド５は扉側ブラケットＢ２を介して扉２に回転可能に取り付けられる。
【００３３】
上記構成を備えることにより、扉ロック装置は、扉２を閉じたとき最も収縮し、扉２を開くと回転しながら伸張する。
【００３４】
また、本発明に係る扉ロック装置は、従来の扉ロック装置のように家具本体側に結合されるロック装置本体３と扉側に結合されるロッド５とが分離されない。
【００３５】
つまり、家具本体側部材たるロック装置本体３と扉側部材たるロッド５とが連結された状態に維持されるため、従来のように家具本体側部材に対する扉側部材の位置調整が不要となり、扉ロック装置の取り付けが容易に可能となる。
【００３６】
図２に示すように、上記ロック装置本体３は長尺に形成されてなり、長手方向に相対向して起立する一対のラック３０ａ、３０ｂと、短手方向に相対向して配置されるガイド部３２とボトム部３３とで略矩形に形成されてなる。
【００３７】
上記ガイド部３２は、上記各ラック３０ａ、３０ｂのロッド挿入側端部からそれぞれ内側に延設される一対のガイド片３２ａ、３２ｂからなり、これらガイド片３２ａ、３２ｂの対向面をロッド側面に摺接させてなる。
【００３８】
一方、上記ボトム部３３は、上記各ラック３０ａ、３０ｂの反ロッド挿入側端部を連結するボトム部本体３４と、このボトム部本体３４から図中左側に延設される延設片３５とからなる。
【００３９】
そして、上記延設片３５には、上記家具本体側ブラケットＢ１が延設片を上下に貫通するピンＰ１の軸周りに回転可能に取り付けられており、当該構成を備えることによりロック装置本体３は、水平方向（図２（ａ）中左右方向）に回転することが可能となる。
【００４０】
上記一対のラック３０ａ、３０ｂは、それぞれ長尺板状に形成されてなり、これらのラック３０ａ、３０ｂの内側、即ち、ラック３０ａとラック３０ｂとが対向する面に長手方向に沿って複数の係止歯３１が形成されてなる。
【００４１】
図２（ａ）中には、上記係止歯の一部を省略して示す。
【００４２】
上記ロック装置本体３には、長手方向、即ち、ラック３０ａ、３０ｂに沿ってスライド可能なスライド部材４が取り付けられてなり、このスライド部材４は、ロッド５の先端に固定され、ロッド５の移動に伴い図２中左右方向にスライドする。
【００４３】
上記スライド部材４は、図３に示すように、中空の略六面体状（略箱状）に形成されてなり、当該スライド部材４に上記一対のラック３０ａ、３０ｂが貫通する。
【００４４】
上記スライド部材４は、上記一対のラック３０ａ、３０ｂの上側に摺接する天片４１と、上記各ラック３０ａ、３０ｂの外側にそれぞれ摺接する一対の側片４２ａ、４２ｂと、上記一対のラック３０ａ、３０ｂの下側に摺接する底片４３とからなり中空の四角柱状に形成されるハウジング４０と、上記上記底片４３の端部からそれぞれ起立するロッド側片４５とボトム側片４４とを備える。
【００４５】
上記ロッド側片４５及びボトム側片４４は、上記一対のラック３０ａ、３０ｂの内側に形成される係止歯３１に接触しない幅に形成されてなり、上記ロッド側片４５は、ロッド５の先端に結合される。
【００４６】
上記構成を備えることにより、上記スライド部材４は、ロッド５の移動に伴いロック装置本体３の長手方向に沿ってスライド可能となると共に、当該スライド部材４内部に収容する後述のロック部材６にゴミや埃等が付着することを防止する。
【００４７】
上記底片４３の上面には、上記一対のラック３０ａ、３０ｂの下側に摺接する一対の側溝４３ａ、４３ｂと、ロッド側になだらかな球面状に形成される球面溝４３ｃとが形成され、この球面溝４３ｃの中心にあたる最深部Ｓから両ラック３０ａ、３０ｂまでの距離はそれぞれ等しい。
【００４８】
上記なだらかな球面状とは、地震の振動のない通常時において可動体６２が球面溝４３ｃの最深部Ｓに維持され（図４、図５）、地震の振動により可動体６２が最深部Ｓから移動してアーム６０ａ、６０ｂに作用することが可能な形状をいうものであり、例えば、すり鉢状や円錐状等とも表現され得る。
【００４９】
上記スライド部材４をスライドさせるロッド５は、図２に示すように、先端を上記スライド部材４に結合される角柱状のロッド本体５０と、このロッド本体５０の基端側（図中右側）に延設される基端部５１とからなる。
【００５０】
そして、基端部５１には、上記扉側ブラケットＢ２が基端部５１を上下に貫通するピンＰ２の軸周りに回転可能に取り付けられており、当該構成を備えることによりロッド５は水平方向（図２（ａ）中左右方向）に回転することが可能となる。
【００５１】
また、上記ロッド５は、上記一対のラック３０ａ、３０ｂの図中右端に設けられるガイド部３２に両側を支えられ、上記一対のラック３０ａ、３０ｂの外周に摺接するスライド部材４のロッド側片４５に先端が結合される（図３）。
【００５２】
更に、上記ロッド５は、ロック装置本体３の軸心部に配置されてなり、これにより、ロック装置本体３内（両ラック３０ａ、３０ｂの間）に円滑に出没することが可能となる。
【００５３】
しかしながら、上記ロッド５の形状は上記の限りではなく、適宜形状を選択することが可能であり、例えば、図示しないがロッド本体５０が中空の角柱状に形成されてなり、当該ロッド本体の先端部がスライド部材４のハウジング４０に結合し、このロッド本体内に上記一対のラック３０ａ、３０ｂが出没するとしても良い。
【００５４】
上記スライド部材４のハウジング４０内に収容されるロック部材６は、上記両ラック３０ａ、３０ｂの間に配置されてなり、スライド部材４の底片４３上に回転可能に軸支されて先端を上記両ラック３０ａ、３０ｂに遠近させる一対のアーム６０ａ、６０ｂと、これらのアーム６０ａ、６０ｂの先端を接近させる方向に附勢する附勢手段６１と、上記両アーム６０ａ、６０ｂの間に設けられて上記球面溝４３ｃ上を移動可能な可動体６２と、上記各アーム６０ａ、６０ｂの先端部に設けられて上記係止歯３１に対向する爪６３ａ、６３ｂとを備える。
【００５５】
上記構成を備えることにより、扉ロック装置を従来の扉ロック装置よりも薄く形成することが可能となり、扉ロック装置の取り付け位置の自由度を増すことが可能となる。
【００５６】
上記アーム６０ａ、６０ｂは、スライド部材４の底片４３上に起立するピンＰ３に回転可能に軸支されて、外周が半円状に形成される基端部６４と、この基端部６４から延設されるアーム本体６５と、このアーム本体６５の先端に設けられる爪６３ａ、６３ｂと、上記アーム本体６５の反ラック側の側面に形成される円弧状の溝６３ｃとを備える。
【００５７】
そして、上記各アーム６０ａ、６０ｂは、上記基端部６４及び上記アーム本体６５を隣接させて底片４３上に配置され、相対向する両溝６３ｃ、６３ｃの間に形成される空間Ａに可動体６２を収容する。
【００５８】
上記基端部６４の外周が平面視で半円状に形成されることから、両アーム６０ａ、６０ｂを隣接させたとしても各アーム６０ａ、６０ｂの回転の妨げにならず、ロック部材６をコンパクトに形成することが可能となる。
【００５９】
上記アーム６０ａ、６０ｂの爪６３ａ、６３ｂは、ラック３０ａ、３０ｂの係止歯３１と対向すると共に、上記ピンＰ３と最も離れた位置に形成される。これにより、爪６３ａ、６３ｂは、アーム６０ａ、６０ｂの回転がわずかであったとしても移動量が大きく、係止歯３１と速やかに係合することが可能となる。
【００６０】
上記相対向する両溝６３ｃ、６３ｃの間に形成される空間Ａは、図４に示すように、平面視でレンズ断面状に形成されてなり、当該空間Ａの中心がスライド部材４における球面溝４３ｃの最深部Ｓと対応する。
【００６１】
従って、地震の振動のない通常時において上記最深部Ｓに維持される可動体６２を上記空間Ａの中心に配置して、通常時におけるアーム６０ａ、６０ｂと可動体６２との接触を避けることが可能となる。
【００６２】
また、地震発生時においては、可動体６２が図４中上下左右の何れの方向に移動したとしても、アーム６０ａ、６０ｂに作用して、爪６４ａ、６３ｂと係止歯３１とを係合することが可能となる。
【００６３】
また、上記空間Ａがアーム６０ａ、６０ｂの先端側に配置されてピンＰ３からの距離が離れることから、地震の振動で可動体６２が球面溝４３ｃ上を移動したとき、小さい力でアーム６０ａ、６０ｂを回転させることが可能となる。
【００６４】
上記両溝６３ｃ、６３ｃの間に形成される空間Ａ内に収容される可動体６２は、球状に形成されてなり、これにより、地震の振動のない通常時においては、上述したように球面溝４３ｃの最深部Ｓに維持され、地震発生時には球面溝４３ｃ上を転がって上記各アーム６０ａ、６０ｂに作用することが可能となる。
【００６５】
上記アーム６０ａ、６０ｂの先端を接近させる方向に附勢する附勢手段６１は、アーム本体６５における基端部側に形成される断面Ｕ字状のＵ字溝６５ａ内に設けられ、上記両アーム本体６５、６５間に介装されるコイルスプリングからなる。
【００６６】
上記構成を備えることから、上記附勢手段６１とアーム６０ａ、６０ｂの支点となるピンＰ３とが近接して配置され、アーム６０ａ、６０ｂの先端が離間され易いがこの限りではなく、アーム６０ａ、６０ｂの先端側に附勢手段６１を設けるとしても良い。
【００６７】
また、上記コイルスプリングに替えて、ゴム等の弾性部材を附勢手段６１として用いることも可能である。
【００６８】
次に、本実施の形態に係る扉ロック装置の作用について以下に説明する。
【００６９】
通常時においては、図４、５に示すように、ロック部材６の可動体６２は、球面溝４３ｃの最深部Ｓに維持されて、両アーム３０ａ、３０ｂの溝６３ｃからなる空間Ａの中心に配置される。
【００７０】
従って、可動体６２が両アーム３０ａ、３０ｂに作用することがなく、各アーム６０ａ、６０ｂの先端が上記附勢手段６１により接近して上記ラック３０ａ、３０ｂから離れた状態に維持される。
【００７１】
これにより、上記ロック部材６がスライド部材４のスライドを妨げず、扉ロック装置が扉２の開閉の妨げとならない。
【００７２】
地震発生時においては、上記可動体６２が地震の振動により上記球面溝４３ｃ上を移動して両アーム６０ａ、６０ｂに作用する。
【００７３】
図６（ａ）に示すように、同図中左右方向、即ち、扉ロック装置の長手方向に地震の振動が作用して、可動体６２が図中左右方向に移動する場合においては、上記両アーム６０ａ、６０ｂが上記可動体６２からの作用を受けて回転し、両アーム６０ａ、６０ｂの先端部が離間する。
【００７４】
従って、両アーム６０ａ、６０ｂの先端が両ラック３０ａ、３０ｂに接近して爪６３ａ、６３ｂを係止歯３１に係合し、スライド部材４のスライドを阻止して扉２の開閉をロックする。
【００７５】
また、図６（ｂ）に示すように、同図中上下方向、即ち、扉ロック装置の端手方向に地震の振動が作用して、可動体６２が図中上下方向に移動する場合においては、上記両アーム６０ａ、６０ｂが可動体６２からの作用を受けて当該可動体６２の移動する方向に共に回転する。
【００７６】
例えば、図６（ｂ）中上方に可動体６２が移動するとき、一方（図中上方）のアーム６０ａの先端がラック３０ａに接近して爪６３ａを係止歯３１に係合し、スライド部材４のスライドを阻止して扉２の開閉をロックする。
【００７７】
一方、図６（ｂ）中下方に可動体６２が移動するとき、同図中二点鎖線で示すように、他方（図中下方）のアーム６０ａの先端がラック３０ｂに接近して爪６３ｂを係止歯３１に係合する。
【００７８】
つまり、ラック３０ａ、３０ｂの係止歯３１が上記ラック３０ａ、３０ｂの内側に沿って略全域に形成されることから、スライド部材４がロック装置本体３の如何なる位置に配置される場合においても、爪６３ａ、６３ｂと係止歯３１とを係合させて扉２をロックすることが可能となる。
【００７９】
従って、扉２が半開きの状態であったとしても、地震発生時にはその状態で扉２がロックされ、家具本体１に収納されている食器や本等の飛び出しを最小限にすることが可能となる。
【００８０】
また、地震が収まった場合において、上記可動体６２は、球面溝４３の傾斜に従い最深部Ｓに移動する。
【００８１】
従って、扉ロック装置が地震発生時に図６（ａ）に示す状態にある場合、両アーム６０ａ、６０ｂは附勢手段６１の附勢力に従い両先端を接近させる。
【００８２】
これにより、上記両アーム６０ａ、６０ｂの先端が両ラック３０ａ、３０ｂから離れ、爪６３ａ、６３ｂと係止歯３１との係合が解除されて、扉２の開閉が可能となる。
【００８３】
また、扉ロック装置が地震発生時に図６（ｂ）に示す状態にある場合、上記可動体６２の移動に従い両アーム６０ａ、６０ｂが回転して、接近していたアーム６０ａの先端がラック３０ａから離れ、爪６３ａと係止歯３１との係合が解除されて扉２の開閉が可能となる。
【００８４】
以上、本発明の好ましい実施の形態を説明したが、特許請求の範囲から逸脱することなく改造、変形及び変更を行うことができることは理解すべきである。
【００８５】
例えば、上記実施の形態において、本発明に係る扉ロック装置が家具本体１に蝶着される扉２の開閉をロックする構成を示したがこの限りではなく、家具に扉ロック装置を取り付けるブラケットを適宜選択することで、引き戸や、引き出しの扉に本発明に係る扉ロック装置を用いることも勿論可能である。
【００８６】
また、本発明の扉ロック装置は、地震以外の要因により家具が傾斜したときにおいても扉をロックすることが可能である。
【符号の説明】
【００８７】
Ａ  空間
Ｂ１  家具本体側ブラケット
Ｂ２  扉側ブラケット
Ｐ１、Ｐ２、Ｐ３  ピン
１  家具本体
２  扉
３  ロック装置本体
４  スライド部材
５  ロッド
６  ロック部材
３０ａ、３０ｂ  ラック
３１  係止歯
３２  ガイド部
３３  ボトム部
４０  ハウジング
４１  天片
４２ａ、４２ｂ  側片
４３  底片
４３ａ  球面溝
４４  ボトム側片
４５  ロッド側片
５０  ロッド本体
６０ａ、６０ｂ  アーム
６１  附勢手段
６２  可動体
６３ａ、６３ｂ  爪
６３ｃ  溝
６４  基端部
６５  アーム本体
【図１】
2011162951.tif 000003
【図２】
2011162951.tif 000004
【図３】
2011162951.tif 000005
【図４】
2011162951.tif 000006
【図５】
2011162951.tif 000007
【図６】
2011162951.tif 000008